(57)【要約】【課題】個体差のある牛の蹄の適正な蹄背壁長を認知することで、削蹄師の経験をサポートする客観的な指標を提供する。【解決手段】牛の削蹄作業を補助する治具であって、牛蹄の蹄冠位置が嵌るゲージ凹部を有する蹄冠幅測定板と、一端縁がゲージ凹部内に位置するように、一端縁と対向する他端縁を蹄冠幅測定板に蝶着した換算用板体とを備え、ゲージ凹部は、蹄冠幅測定板の表面上の基準線に平行な内幅が、開口に向けて徐々に拡幅されており、開放されたゲージ凹部の内縁に牛蹄の蹄冠位置を当接させることで内幅によって牛蹄の蹄冠幅を測定することができ、ゲージ凹部内に換算用板体の一端縁を位置した状態で、牛蹄の蹄冠位置が当接した内縁の位置と一端縁との間の内幅上の間隔が、蹄冠幅を測定した牛蹄の適正な蹄背壁長になるように、換算用板体における一端縁と他端縁の幅が設定されている。【選択図】図３
2018143156.tif 000002
【特許請求の範囲】
【請求項１】
牛の削蹄作業を補助する治具であって、
牛蹄の蹄冠位置が嵌るゲージ凹部を有する蹄冠幅測定板と、
一端縁が前記ゲージ凹部内に位置するように、前記一端縁と対向する他端縁を前記蹄冠幅測定板に蝶着した換算用板体とを備え、
前記ゲージ凹部は、前記蹄冠幅測定板の表面上の基準線に平行な内幅が、開口に向けて徐々に拡幅されており、開放された前記ゲージ凹部の内縁に牛蹄の蹄冠位置を当接させることで前記内幅によって牛蹄の蹄冠幅を測定することができ、
前記ゲージ凹部内に前記換算用板体の前記一端縁を位置した状態で、牛蹄の蹄冠位置が当接した内縁の位置と前記一端縁との間の前記内幅上の間隔が、前記蹄冠幅を測定した牛蹄の適正な蹄背壁長になるように、前記換算用板体における前記一端縁と前記他端縁の幅が設定されていることを特徴とする牛の削蹄補助具。
【請求項２】
前記換算用板体における前記一端縁と前記他端縁の幅は、牛蹄の蹄冠幅と適正な蹄背壁長との統計的な相関関係によって設定されていることを特徴とする請求項１に記載された牛の削蹄補助具。
【請求項３】
少なくとも、前記ゲージ凹部における前記内縁の形状と、前記換算用板体における前記一端縁の形状とに適合する外形を有する定規板を備え、前記定規板が前記内縁と前記一端縁との間の前記ゲージ凹部に対して着脱自在であることを特徴とする請求項１又は２記載の牛の削蹄補助具。
【請求項４】
少なくとも、前記蹄冠幅測定板の表面には、前記ゲージ凹部の周囲に、前記基準線に平行な複数の目印線が示されていることを特徴とする請求項１乃至３いずれか１項記載の牛の削蹄補助具。
【発明の詳細な説明】
【技術分野】
【０００１】
本発明は、牛の削蹄を行う際に使用する補助具に関するものである。
【背景技術】
【０００２】
牛は一般に運動量が少なく、蹄が伸びすぎるので、定期的に伸びた蹄を切り、その形を整える作業（削蹄）が必要になる。牛の削蹄は、牛の健康状態を左右する上で重要な管理作業であり、特に、乳牛の生産現場では、削蹄の質が乳量にも影響を及ぼすと言われている。
【０００３】
個体差のある牛の削蹄適期や適正な蹄の状態を客観的に把握することは難しい。従来技術としては、牛の歩いている様子を撮像手段で撮像し、撮像した画像中における特定の部位の動きを捕捉して、その動きに基づいて牛の蹄の状態を診断するシステムなどが提案されている（下記特許文献１参照）。
【先行技術文献】
【特許文献】
【０００４】
【特許文献１】特開２００５−２５３４３５号公報
【発明の概要】
【発明が解決しようとする課題】
【０００５】
前述した従来技術を実施するには、ハイスピードカメラや画像処理システムなど高価なシステムが必要になり、一般的な家畜生産現場に導入することが難しい問題がある。また、前述した従来技術では、削蹄前後の歩いている様子を把握することはできるが、これらの情報を把握した上で、実際に行う削蹄作業の質の向上は、結局の所、削蹄師の経験的な技術に頼らざるを得ない。
【０００６】
削蹄師が着目している蹄の状態は、蹄背壁長の伸び状態であり、オランダ式の削蹄法では、蹄背壁長は７５ｍｍに切ることが提唱されている。しかしながら、その数値の根拠は曖昧であり、当然ながら牛には個体差があるので、個々の牛の健康状態に適する蹄背壁長には違いがあると考えるのが妥当である。
【０００７】
一方、削蹄師の人材育成には十分な経験が必要であり、早期且つ良質な人材を育成するためには、現場での経験をサポートする客観的な指標を提示することが不可欠である。このために、削蹄師の経験を統計結果などの客観的な指標によってサポートできる補助具の開発が求められている。
【０００８】
本発明は、このような事情に対処するものであり、個体差のある牛の蹄の適正な蹄背壁長を認知することで、削蹄師の経験をサポートする客観的な指標を提供すること、を課題とする。
【課題を解決するための手段】
【０００９】
このような課題を解決するために、本発明は、以下の構成を具備するものである。
【００１０】
牛の削蹄作業を補助する治具であって、牛蹄の蹄冠位置が嵌るゲージ凹部を有する蹄冠幅測定板と、一端縁が前記ゲージ凹部内に位置するように、前記一端縁と対向する他端縁を前記蹄冠幅測定板に蝶着した換算用板体とを備え、前記ゲージ凹部は、前記蹄冠幅測定板の表面上の基準線に平行な内幅が、開口に向けて徐々に拡幅されており、開放された前記ゲージ凹部の内縁に牛蹄の蹄冠位置を当接させることで前記内幅によって牛蹄の蹄冠幅を測定することができ、前記ゲージ凹部内に前記換算用板体の前記一端縁を位置した状態で、牛蹄の蹄冠位置が当接した内縁の位置と前記一端縁との間の前記内幅上の間隔が、前記蹄冠幅を測定した牛蹄の適正な蹄背壁長になるように、前記換算用板体における前記一端縁と前記他端縁の幅が設定されていることを特徴とする牛の削蹄補助具。
【００１１】
前記換算用板体における前記一端縁と前記他端縁の幅は、牛蹄の蹄冠幅と適正な蹄背壁長との統計的な相関関係によって設定されていることが好ましい。
【００１２】
少なくとも、前記ゲージ凹部における前記内縁の形状と、前記換算用板体における前記一端縁の形状とに適合する外形を有する定規板を備え、前記定規板が前記内縁と前記一端縁との間の前記ゲージ凹部に対して着脱自在であることが好ましい。
【００１３】
前記蹄冠幅測定板の表面には、前記ゲージ凹部の周囲に、前記基準線に平行な複数の目印線が示されていることが好ましい。
【図面の簡単な説明】
【００１４】
【図１】本発明に係る第１実施形態の削蹄補助具の斜視図である。
【図２】ゲージ凹部に牛蹄の蹄冠を位置させた状態を示す平面図である。
【図３】蹄冠幅測定板における一端縁をゲージ凹部内に位置させた状態を示す平面図である。
【図４】（ａ）は蹄冠幅を示す蹄の概略平面図であり、（ｂ）は蹄背壁長を示す蹄の概略側面図である。
【図５】本発明に係る第２実施形態の削蹄補助具を示す平面図であり、ゲージ凹部に牛蹄の蹄冠を位置させた状態を示す。
【図６】本発明に係る第３実施形態の削蹄補助具を示す平面図であり、ゲージ凹部に牛蹄の蹄冠を位置させた状態を示す。
【図７】図６において、蹄冠幅測定板における一端縁をゲージ凹部内に位置させた状態を示す。
【図８】本発明に係る第４実施形態の削蹄補助具を示す平面図であり、定規板の着脱動作を示す。
【発明を実施するための形態】
【００１５】
以下、図面を参照して本発明の第１実施形態を説明する。以下の説明で、異なる図における同一符号は同一機能の部位を示しており、各図における重複説明は適宜省略する。
【００１６】
削蹄補助具１は、図１に示すように、牛蹄Ａの蹄冠Ａ１位置が嵌るゲージ凹部２Ａを有する蹄冠幅測定板２と、一端縁（右端縁）３Ａがゲージ凹部２Ａ内に位置するように、右端縁３Ａと対向する他端縁（左端縁）３Ｂを蹄冠幅測定板２の右端縁２０に蝶着した換算用板体３とを備えている。
【００１７】
蹄冠幅測定板２は、硬質の合成樹脂や軽量の金属又は非鉄金属を四角形状の板として形成されたものであり、蹄冠幅測定板２の下端縁２１側を開口２０Ａとし、この開口２０Ａから対向する上端縁２２に向かって凹設されたゲージ凹部２Ａを有している。
【００１８】
蹄冠幅測定板２の表面におけるゲージ凹部２Ａの左側の内縁２０Ｂと蹄冠幅測定板２の左端縁２３の間には、仮想の基準線Ｌ１が設定されていると共に、この基準線Ｌ１と平行な複数の目印線Ｌ２〜Ｌ６が配されている。
【００１９】
目印線Ｌ２〜Ｌ６は、互いに平行となるように配されていると共に、互いに同間隔となるように配されている。
【００２０】
ゲージ凹部２Ａは、基準線Ｌ１と平行な内幅Ｗが、開口２０Ａに向けて徐々に拡幅されており、開放されたゲージ凹部２Ａの内縁２０Ｂ、２０Ｃに牛蹄Ａの蹄冠Ａ１位置を当接させることで、当接された位置の内幅Ｗによって牛蹄の蹄冠幅Ｗ１を測定することができるようになっている。
【００２１】
換算用板体３は、蝶番３０を回転軸として回転させることで、右端縁３Ａが蹄冠幅測定板２の外方に位置する状態（図２）と、右端縁３Ａがゲージ凹部２Ａ内に位置する状態（図３）とに切り替え自在にされている。
【００２２】
換算用板体３は、右端縁３Ａが目印線Ｌ２〜Ｌ６と直交する直線の縁として形成されており、換算用板体３の右端縁３Ａがゲージ凹部２Ａ内に位置した際に、この右端縁３Ａとゲージ凹部２Ａの内縁２０Ｂとの幅が、開口２０Ａに向かって徐々に拡幅するようにされている。
【００２３】
ゲージ凹部２Ａ内に位置する状態の右端縁３Ａと内縁２０Ｂとの間隔は、牛蹄Ａの蹄背壁長Ｗ２を示すものであり、ゲージ凹部２Ａの内縁２０Ｂの拡幅による傾斜角度は、牛蹄Ａの蹄冠Ａ１が当接した内縁２０Ｂの位置と右端縁３Ａとの間の内幅Ｗ上の間隔が、適正な牛蹄Ａの蹄背壁長Ｗ２となる角度にされ、内縁２０Ｂの傾斜角度に基づいて、ゲージ凹部２Ａ内に位置した状態での右端縁３Ａの位置が設定されている。
【００２４】
ここで、内縁２０Ｂの傾斜角度及びゲージ凹部２Ａ内に位置した状態での右端縁３Ａの位置の設定方法について説明する。
【００２５】
前提として、前述のようにオランダ式削蹄法によると蹄背壁長Ｗ２は７５ｍｍに切らなければならないとされているが、牛蹄の大きさは、牛の個体毎に異なっており、すべての個体の蹄背壁Ａ２を７５ｍｍに切ると、切過ぎや切足りないということが生じる。
【００２６】
蹄背壁Ａ２を切り過ぎた場合、神経と血管が密集する牛蹄Ａの知覚部に至り、個体に対して出血させたり痛みを与えたりし、切足りない場合には、全体的な削蹄が不完全となり勝ちである。
【００２７】
そこで、発明者は、牛の個体毎に適正な蹄背壁長Ｗ２を２８０体の死蹄を用いて調査した。
【００２８】
調査方法は、蹄冠幅Ｗ１、外蹄幅、内蹄幅を計測すると共に、蹄角質の始まりから知覚部の先端までの蹄背壁長Ｗ２を計測し、夫々の最小値・最大値・平均値（下記、計測結果参照）を求めた。
【００２９】
〔計測結果〕
蹄冠幅Ｗ１（最小87.5ｍｍ平均104.5ｍｍ最大129.8ｍｍ）
外蹄幅（最小46.2ｍｍ平均55.0ｍｍ最大75.4ｍｍ）
外蹄背壁長（最小58.9ｍｍ平均70.8ｍｍ最大90.3ｍｍ）
内蹄幅（最小41.8ｍｍ平均50.6ｍｍ最大61.5ｍｍ）
内蹄背壁長（最小56.5ｍｍ平均70.0ｍｍ最大84.3ｍｍ）
【００３０】
計測結果の各値に基づいて、蹄冠幅Ｗ１に対する外蹄幅、外蹄背壁長、内蹄幅、内蹄背壁長の相関係数を求めた（下記、「蹄冠幅Ｗ１に対する相関係数」参照）。
【００３１】
〔蹄冠幅Ｗ１に対する相関係数〕
外蹄幅：0.599  
外蹄背壁長：0.508  
内蹄幅：0.671  
内蹄背壁長0.418
【００３２】
蹄冠幅Ｗ１に対する相関係数の各値は、一般的に統計的な相関関係があるものと認定される値であって、この相関係数に基づいて蹄冠幅Ｗ１から蹄背壁長Ｗ２を求めることができる。
【００３３】
すなわち、内縁２０Ｂの傾斜角度及びゲージ凹部２Ａ内に位置した状態での右端縁３Ａの位置の設定を、蹄冠幅Ｗ１に対する相関係数に基づいて行うことで、ゲージ凹部２Ａ内に位置する状態の右端縁３Ａと内縁２０Ｂとの間の内幅Ｗ上の間隔を、牛蹄Ａの蹄背壁長Ｗ２に対応する間隔にすることができる。
【００３４】
蹄背壁長Ｗ２の設定は、内蹄背壁長よりも長い外蹄背壁を基準として行うとよく、認知した蹄背壁長Ｗ２に基づいて外蹄背壁を削蹄すると共に、外蹄背壁の削蹄に合わせて内蹄背壁を削蹄することによって、外蹄背壁及び内蹄背壁の切り過ぎや切足らないということを防ぐことができる。
【００３５】
内縁２０Ｂの傾斜角度及びゲージ凹部２Ａ内に位置した状態での右端縁３Ａの位置の設定時に計測した蹄背壁長Ｗ２は、蹄冠Ａ１から知覚部までの長さであるため、実際の蹄背壁長Ｗ２は、蹄冠Ａ１から知覚部までの長さに対して５ｍｍ程度加えた長さとするとよい。
【００３６】
したがって、ゲージ凹部２Ａ内に位置する状態の右端縁３Ａと内縁２０Ｂとの間の内幅Ｗ上の間隔は、蹄冠Ａ１から知覚部までの長さに対して５ｍｍ程度加えた長さに等しくなるように設定することで、適正な蹄背壁長Ｗ２を認知することができる。
【００３７】
尚、本発明では、ゲージ凹部２Ａ内に位置する状態の右端縁３Ａと内縁２０Ｂとの間の内幅Ｗ上の間隔は、前述のように５ｍｍ加えた蹄背壁長Ｗ２に対応するものに限らない。
【００３８】
例えば、蹄背壁長Ｗ２の設定時に計測された長さ（蹄冠Ａ１から知覚部までの長さ）に対応する間隔としてもよく、認知された蹄背壁長Ｗ２に５ｍｍ加えた長さで蹄背壁Ａ２を削蹄するようにしてもよい。
【００３９】
目印線Ｌ２〜Ｌ６は、夫々に、蹄背壁長Ｗ２が設定されており、目印線Ｌ２〜Ｌ６が示す内縁２０Ｂに蹄冠Ａ１が当接したときの蹄背壁長Ｗ２を認知することができるようにされている。
【００４０】
目印線Ｌ２〜Ｌ６に設定される蹄背壁長Ｗ２は、その値を目印線Ｌ２〜Ｌ６に沿うように記載してもよいし、目印線Ｌ２〜Ｌ６に対する蹄背壁長Ｗ２が記載された対応表等を用意してもよい。
【００４１】
以上の構成の削蹄補助具１は、蹄冠Ａ１にゲージ凹部２Ａを嵌めると共に、蹄冠Ａ１を内縁２０Ｂ、２０Ｃに当接させることで蹄冠幅Ｗ１を計測することができる。
【００４２】
蹄冠Ａ１を内縁２０Ｂ、２０Ｃに当接させた状態で、蹄冠幅Ｗ１が内縁２０Ｂに当接した位置にマーキングＭをして、蹄冠Ａ１から削蹄補助具１を外す。
【００４３】
削蹄補助具１を外した状態で、換算用板体３を回転させて右端縁３Ａをゲージ凹部２Ａに位置させ、マーキングＭに対応する内縁２０Ｂと右端縁３Ａとの内幅Ｗを計測する。
【００４４】
内幅Ｗの計測では、マーキングＭが目印線Ｌ２〜Ｌ６にあれば、マーキングＭの目印線Ｌ２〜Ｌ６に対応した蹄背壁長Ｗ２を認知することができ、この蹄背壁長Ｗ２に基づいて削蹄をすることができる。
【００４５】
また、マーキングＭが目印線Ｌ２〜Ｌ６からずれた位置にあれば、目印線Ｌ２〜Ｌ６を蹄背壁長Ｗ２と平行にした状態で、マーキングＭ部分に対応する内縁２０Ｂを蹄冠Ａ１に位置させると共に、右端縁３Ａを蹄背壁Ａ２に位置させて、右端縁３Ａに沿って印を付けることによって、蹄背壁長Ｗ２を認知することができる。
【００４６】
また、このマーキングＭに対応する内縁２０Ｂと右端縁３Ａとの間隔（蹄背壁長Ｗ２）を定規によって計測するか、マーキングＭに最も近い目印線Ｌ２〜Ｌ６に対応する蹄背壁長Ｗ２の値の近似値を蹄背壁長Ｗ２とすることでも蹄背壁長Ｗ２を認知することができる。
【００４７】
目印線Ｌ２〜Ｌ６は、ゲージ凹部２Ａの内幅Ｗと平行であって、ゲージ凹部２Ａを蹄冠Ａ１に嵌めた際に、蹄冠Ａ１の左側に目印線Ｌ２〜Ｌ６が見えるようになっている。
【００４８】
すなわち、目印線Ｌ２〜Ｌ６は、蹄背壁長Ｗ２を認知する以外にも、ゲージ凹部２Ａを蹄冠Ａ１に嵌める際に、ゲージ凹部２Ａの内幅Ｗの方向と蹄冠幅Ｗ２の方向とを平行にするためのガイドとすることができる。
【００４９】
また、蹄背壁長Ｗ２を測定する際にも、ゲージ凹部２Ａから見える蹄背壁長Ｗ２と連続するように目印線Ｌ２〜Ｌ６が見えるので、目印線Ｌ２〜Ｌ６を蹄背壁長Ｗ２と平行にするためのガイドとすることができる。
【００５０】
よって、本実施形態の削蹄補助具１は、極めて容易に個体差のある牛蹄Ａの適正な蹄背壁長Ｗ２を認知することができ、これによって、削蹄師の経験をサポートする客観的な指標を提供することができる。
【００５１】
次に本発明の第２実施形態を図５に基づいて説明すると、本実施形態の削蹄補助具１’は、目印線Ｌ２〜Ｌ６を備えていないものである。
【００５２】
削蹄補助具１’は、マーキングＭ部分に対応する内縁２０Ｂを蹄冠Ａ１に位置させると共に、右端縁３Ａを蹄背壁Ａ２に位置させて、右端縁３Ａに沿って印を付けることによって、蹄背壁長Ｗ２を認知することができる。
【００５３】
また、マーキングＭに対応する内縁２０Ｂと右端縁３Ａとの内幅Ｗを定規によって計測することで蹄背壁長Ｗ２を認知することができる。
【００５４】
よって、本実施形態の削蹄補助具１’は、極めて容易に個体差のある牛蹄Ａの適正な蹄背壁長Ｗ２を認知することができ、これによって、削蹄師の経験をサポートする客観的な指標を提供することができる。
【００５５】
次に本発明の第３実施形態を図６、図７に基づいて説明すると、本実施形態の削蹄補助具１’’は、内縁２０Ｃ側の蹄冠幅測定板２の表面及び換算用板体３の裏面にも目印線Ｌ２〜Ｌ６を備えたものであり、ゲージ凹部２Ａを蹄冠Ａ１に嵌めた際に、蹄冠Ａ１の左右両側に目印線Ｌ２〜Ｌ６が見えるようになっている。
【００５６】
換算用板体３の目印線Ｌ２は、換算用板体３の上端縁３Ｃを兼ねている。
【００５７】
本実施形態の削蹄補助具１’’によると、図６に示すように、ゲージ凹部２Ａを蹄冠Ａ１に嵌める際に、蹄冠Ａ１の左右両側に目印線Ｌ２〜Ｌ６が見えるので、ゲージ凹部２Ａの内幅Ｗの方向と蹄冠幅Ｗ２の方向とを平行にするためのガイドとしての機能を高めることができる。
【００５８】
また、蹄背壁長Ｗ２を測定する際にも、ゲージ凹部２Ａから見える蹄背壁長Ｗ２の上下に目印線Ｌ２〜Ｌ６が見えるので、目印線Ｌ２〜Ｌ６を蹄背壁長Ｗ２と平行にするためのガイドとしての機能を高めることができる。
【００５９】
次に、本発明の第４実施形態を図８に基づいて説明すると、本実施形態の削蹄補助具１’’’は、ゲージ凹部２Ａにおける内縁２０Ｂの形状と、換算用板体３における右端縁３Ａの形状とに適合する外形を有する定規板４を備えたものである。
【００６０】
定規板４は、内縁２０Ｂの傾斜角度と同角度で形成された左端縁４Ａと、右端縁３Ａに平行な右端縁４Ｂとを有し、左端縁４Ａと右端縁４Ｂとの間の幅が、内縁２０Ｂと右端縁３Ａとの間隔の幅と同幅にされており、内縁２０Ｂと右端縁３Ａの間に適合して嵌るようにされている。
【００６１】
また、定規板４の上端縁４Ｃと下端縁４Ｄは、定規板４を内縁２０Ｂと右端縁３Ａの間に適合して嵌めたときに、換算用板体３の上端縁３Ｃと下端縁３Ｄとに夫々沿う上下幅を有している。
【００６２】
また、定規板４の表面には、左端縁４Ａと右端縁４Ｂとにわたる範囲で目印線Ｌ２〜Ｌ６が設けられており、目印線Ｌ２〜Ｌ６は、定規板４が内縁２０Ｂと右端縁３Ａの間に適合して嵌めたときに、蹄冠幅測定板２の表面と換算用板体３の裏面に設けられた目印線Ｌ２〜Ｌ６と一直線上となるようにされている。
【００６３】
定規板４の目印線Ｌ２は、定規板４の上端縁４Ｃを兼ねている。
【００６４】
本実施形態の削蹄補助具１’’’は、蹄冠幅Ｗ１の測定後、換算用板体３の右端縁３Ａをゲージ凹部２Ａに位置させた状態で定規板４を内縁２０Ｂと右端縁３Ａの間に嵌め入れる。
【００６５】
定規板４を嵌め入れた状態で、蹄冠幅測定板２のマーキングＭに対応する定規板４の表面にマーキングＭ１を付けて定規板４を抜き取る。
【００６６】
抜き取られた定規板４は、マーキングＭ１に対応する左端縁４Ａから目印線Ｌ２〜Ｌ６に沿って右端縁４Ｂまで至る範囲の幅が、蹄背壁長Ｗ２を示すものとなり、これによって、蹄背壁長Ｗ２を認知することができる。
【００６７】
そして、抜き取った定規板４を、マーキングＭ１が付けられた左端縁４Ａを蹄冠Ａ１に合わせると共に、目印線Ｌ２〜Ｌ６を蹄背壁Ａ２の上下方向に沿わせた状態での右端縁４Ｂの位置が、蹄背壁Ａ２の削蹄位置となり、この右端縁４Ｂに対応する蹄背壁Ａ２に印を付けることで蹄背壁長Ｗ２を設定することができる。
【００６８】
したがって、本実施形態の削蹄補助具１’’’は、蹄冠幅測定板２の面積よりも極めて小さいサイズの定規板４によって、蹄背壁長Ｗ２を設定することができるので、蹄背壁長Ｗ２の設定作業の作業性や容易性を高めることができる。
【００６９】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００７０】
１：削蹄補助具
１’：削蹄補助具
１’’：削蹄補助具
１’’’：削蹄補助具
２：蹄冠幅測定板  
２Ａ：ゲージ凹部  
２０Ａ：開口  
２０Ｂ：内縁  
３：換算用板体  
３Ａ：右端縁  
３Ｂ：左端縁  
４：定規板
Ａ：牛蹄  
Ａ１：蹄冠  
Ａ２：蹄背壁  
Ｌ１：基準線  
Ｌ２：目印線  
Ｌ３：目印線  
Ｌ４：目印線  
Ｌ５：目印線  
Ｌ６：目印線  
Ｗ：内幅  
Ｗ１：蹄冠幅  
Ｗ２：蹄背壁長
【図１】
2018143156.tif 000003
【図２】
2018143156.tif 000004
【図３】
2018143156.tif 000005
【図４】
2018143156.tif 000006
【図５】
2018143156.tif 000007
【図６】
2018143156.tif 000008
【図７】
2018143156.tif 000009
【図８】
2018143156.tif 000010